(57)【要約】【課題】  動画像に対して最適なタイトルを自動的に付加する。【解決手段】  動画像に写っている各被写体毎に重要度と、その被写体の名称或いは人名を検出し、各被写体の重要度に応じて重み付けを行った、該各被写体の合計の出演時間を算出する。そして、最長の出演時間となる被写体の上記名称或いは人名を、その動画像全体のタイトルとして付加する。動画像に写っている各被写体のうち、最長の出演時間となる被写体は、その動画像の主体となる被写体であることを示している。このため、この最長の出演時間となる被写体の名称或いは人名を、その動画像のタイトルとして付加することで、該動画像に対して最適なタイトルを自動的に付加することができる。【選択図】  図３
2011039797.tif 000002
【特許請求の範囲】
【請求項１】
動画像に写っている各被写体毎に重要度を検出する重要度検出部と、
上記動画像に写っている上記各被写体毎に該各被写体の名称、或いは人名を検出する名称／人名検出部と、
上記重要度検出部により検出された上記各被写体の重要度に応じて重み付けを行った、該各被写体の合計の出演時間を算出する合計出演時間算出部と、
上記合計出演時間算出部により算出された各被写体の合計の出演時間のうち、最長の出演時間となる被写体に対して上記名称／人名検出部で検出された上記名称、或いは人名を、上記動画像のタイトルとして付加するタイトル付加部と
を有するタイトル自動付加装置。
【請求項２】
上記重要度検出部は、上記動画像の画枠内に写っている各被写体の位置、及び該各被写体が写っている大きさに基づいて、該各被写体の重要度を検出する
請求項１に記載のタイトル自動付加装置。
【請求項３】
各ユーザの少なくともユーザ名及び顔写真が登録された電話帳メモリを有し、
上記名称／人名検出部は、上記各被写体と、上記電話帳メモリに登録されている各ユーザの顔写真とを比較し、両者が一致した場合、該一致した顔写真に対応するユーザ名を、上記被写体の人名として検出する
請求項１又は請求項２に記載のタイトル自動付加装置。
【請求項４】
上記各被写体毎に、時系列に沿った上記重要度の遷移を検出し、該各被写体の出演時間に対して、この重要度の遷移に対応する重要度を付加すると共に、被写体名、及び各出演時間に対応する動画像を付加したインデックステーブルを形成するインデックステーブル形成部を有する
請求項１から請求項３のうち、いずれか一項に記載のタイトル自動付加装置。
【請求項５】
重要度検出部が、動画像に写っている各被写体毎に重要度を検出する重要度検出ステップと、
名称／人名検出部が、上記動画像に写っている上記各被写体毎に該各被写体の名称、或いは人名を検出する名称／人名検出ステップと、
合計出演時間算出部が、上記重要度検出ステップで検出された上記各被写体の重要度に応じて重み付けを行った、該各被写体の合計の出演時間を算出する合計出演時間算出ステップと、
タイトル付加部が、上記合計出演時間算出ステップで算出された各被写体の合計の出演時間のうち、最長の出演時間となる被写体に対して上記名称／人名検出ステップで検出された上記名称、或いは人名を、上記動画像のタイトルとして付加するタイトル付加ステップと
を有するタイトル自動付加方法。
【請求項６】
動画像に写っている各被写体毎に重要度を検出する重要度検出部としてコンピュータを機能させ、
上記動画像に写っている上記各被写体毎に該各被写体の名称、或いは人名を検出する名称／人名検出部としてコンピュータを機能させ、
コンピュータを上記重要度検出部として機能させることで検出された上記各被写体の重要度に応じて重み付けを行った、該各被写体の合計の出演時間を算出する合計出演時間算出部としてコンピュータを機能させ、
コンピュータを上記合計出演時間算出部として機能させることで算出された各被写体の合計の出演時間のうち、最長の出演時間となる被写体に対してコンピュータを上記名称／人名検出部として機能させることで検出された上記名称、或いは人名を、上記動画像のタイトルとして付加するタイトル付加部としてコンピュータを機能させる
タイトル自動付加プログラム。
【請求項７】
動画像に写っている各被写体毎に重要度を検出する重要度検出部と、
上記動画像に写っている上記各被写体毎に該各被写体の名称、或いは人名を検出する名称／人名検出部と、
上記重要度検出部により検出された上記各被写体の重要度に応じて重み付けを行った、該各被写体の合計の出演時間を算出する合計出演時間算出部と、
上記合計出演時間算出部により算出された各被写体の合計の出演時間のうち、最長の出演時間となる被写体に対して上記名称／人名検出部で検出された上記名称、或いは人名を、上記動画像のタイトルとして付加するタイトル付加部と
を有する携帯端末装置。
【発明の詳細な説明】
【技術分野】
【０００１】
本発明は、動画像の再生機能を備えた携帯電話機、ＰＨＳ電話機（PHS：Personal Handyphone System）、ＰＤＡ装置（PDA：Personal Digital Assistant）、携帯ゲーム機、ノート型やデスクトップ型のパーソナルコンピュータ装置等の電子機器に適用して好適なタイトル自動付加装置、タイトル自動付加方法、タイトル自動付加プログラム、及び携帯端末装置に関する。
特には、動画像に写っている各被写体毎に重要度と、その被写体の名称或いは人名を検出し、各被写体の重要度に応じて重み付けを行った、該各被写体の合計の出演時間を算出する。そして、最長の出演時間となる被写体の上記名称或いは人名を、その動画像全体のタイトルとして付加することで、その動画像に対して最適なタイトルを自動的に付加するようにしたタイトル自動付加装置、タイトル自動付加方法、タイトル自動付加プログラム、及び携帯端末装置に関する。
【背景技術】
【０００２】
特開２００７−１０２３６２号の公開特許公報（特許文献１）に、動画像や静止画像等のデジタルコンテンツを分類するカテゴリを自動的に形成することを目的とした分類カテゴリ自動形成装置が開示されている。
【０００３】
この分類カテゴリ自動形成装置の場合、ユーザが一群の複数のデジタル画像コンテンツをシステムに供給すると、これらコンテンツに普遍的なカテゴリを調べ、該カテゴリに依拠して一の分類を定義し、その後任意に供給されるデジタル画像コンテンツの属性を上記分類の定義に係る属性と比較して、自動的に分類附与するようになっている。
【先行技術文献】
【特許文献】
【０００４】
【特許文献１】特開２００７−１０２３６２号
【発明の概要】
【発明が解決しようとする課題】
【０００５】
ここで、動画像に対してタイトルを付加する場合、大抵、その動画像に主体として写っている被写体に対応するタイトルが付加されるものである。上述の特許文献１に開示されている分類カテゴリ自動形成装置を、動画像に対して自動的にタイトルを付加する際に用いることを考えると、この特許文献１に開示されている分類カテゴリ自動形成装置の場合、デジタルコンテンツに含まれている「特定人物」を検出できるのはよいが、この「特定人物」がそのデジタル画像コンテンツの主体ではない可能性もある。このため、動画像に対して最適なタイトルを付加できないおそれがある。
【０００６】
本発明は、上述の課題に鑑みてなされたものであり、動画像に写っている被写体の中から主体として写っている被写体を正確に検出し、この検出した主体に対応するタイトルを付加することで、該動画像に対して最適なタイトルを自動的に付加することができるようなタイトル自動付加装置、タイトル自動付加方法、タイトル自動付加プログラム、及び携帯端末装置の提供を目的とする。
【課題を解決するための手段】
【０００７】
本発明に係るタイトル自動付加装置は、上述の課題を解決するために、
動画像に写っている各被写体毎に重要度を検出する重要度検出部と、
上記動画像に写っている上記各被写体毎に該各被写体の名称、或いは人名を検出する名称／人名検出部と、
上記重要度検出部により検出された上記各被写体の重要度に応じて重み付けを行った、該各被写体の合計の出演時間を算出する合計出演時間算出部と、
上記合計出演時間算出部により算出された各被写体の合計の出演時間のうち、最長の出演時間となる被写体に対して上記名称／人名検出部で検出された上記名称、或いは人名を、上記動画像のタイトルとして付加するタイトル付加部と
を有する。
【０００８】
このような本発明は、動画像に写っている各被写体毎に重要度と、その被写体の名称或いは人名を検出し、各被写体の重要度に応じて重み付けを行った、該各被写体の合計の出演時間を算出する。そして、最長の出演時間となる被写体の上記名称或いは人名を、その動画像全体のタイトルとして付加する。
【０００９】
動画像に写っている各被写体のうち、最長の出演時間となる被写体は、その動画像の主体となる被写体であることを示している。このため、この最長の出演時間となる被写体の名称或いは人名を、その動画像のタイトルとして付加することで、該動画像に対して最適なタイトルを自動的に付加することができる。
【発明の効果】
【００１０】
本発明は、動画像に写っている被写体の中から主体として写っている被写体を正確に検出し、この検出した主体に対応するタイトルを付加することで、該動画像に対して最適なタイトルを自動的に付加することができる。
【図面の簡単な説明】
【００１１】
【図１】本発明を適用した実施例となる携帯電話機のブロック図である。
【図２】実施例となる携帯電話機に設けられている制御部が、タイトル自動付加プログラムに基づいて動作した際の機能ブロック図である。
【図３】実施例となる携帯電話機の動画像に対するタイトルの自動付加動作の流れを示すフローチャートである。
【図４】実施例となる携帯電話機の動画像の各被写体に対する重要度の付加動作を説明するための図である。
【図５】実施例となる携帯電話機における、動画像の各被写体の出演時間に対する重要度の付加の仕方を説明するための図である。
【図６】実施例となる携帯電話機における、動画像の各被写体の出演時間に対する重要度の付加の仕方の他の例を説明するための図である。
【図７】実施例となる携帯電話機における、動画像の各被写体の出演時間に対する重要度の付加の仕方のさらに他の例を説明するための図である。
【図８】実施例となる携帯電話機のメモリに設けられているインデックステーブルの一例を示す図である。
【図９】実施例となる携帯電話機のメモリに設けられているインデックステーブルの他の例を示す図である。
【発明を実施するための形態】
【００１２】
本発明は、動画像の再生機能を備えた携帯電話機に適用することができる。
【００１３】
［携帯電話機の構成］
図１に、この本発明を適用した実施例となる携帯電話機のブロック図を示す。この携帯電話機は、図１に示すように無線基地局との間で音声通話、テレビ電話通話、電子メール、Ｗｅｂデータ（Web：World Wide Web）等の無線通信を行うアンテナ１及び通信回路２と、受話音声等を出力するためのスピーカ部３と、送話音声等を集音するためのマイクロホン部４と、操作メニュー、電子メール、画像（静止画像及び動画像）等を表示するための表示部５と、十字キー、決定キー、数字キー等の複数の操作キーを備えた操作部６と、発着信等をユーザに光で通知するための発光部７（LED：Light Emitting Diode:発光ダイオード）とを有している。
【００１４】
また、この携帯電話機は、所望の被写体の静止画像或いは動画像を撮像するためのカメラ部８と、当該携帯電話機の筐体を振動させて発着信等をユーザに通知するためのバイブレーションユニット９と、現在時刻をカウントするタイマ１０と、当該携帯電話機の筐体の回転操作や傾き操作等を検出するモーションセンサ１１とを有している。
【００１５】
また、この携帯電話機は、通信距離が例えば５０ｃｍ程度の非接触無線通信を行うための非接触無線通信アンテナ１２及び非接触ＩＣユニット１３と、通信距離が例えば１０ｍ程度の近距離無線通信を行うための近距離無線通信アンテナ１４及び近距離無線通信ユニット１５と、赤外線通信を行うための赤外線通信ユニット１６とを有している。
【００１６】
また、この携帯電話機は、外部機器との間でデータ通信等を行うための外部インターフェイス部１７（外部ＩＦ部）と、上記無線基地局を介した無線通信処理を行うためのコミュニケーションプログラムや各種アプリケーションプログラムの他、これら各アプリケーションプログラムで取り扱われる各種データ等が記憶されたメモリ１８と、当該携帯電話機全体の動作を制御する制御部１９とを有している。
【００１７】
メモリ１８には、動画像データに写っている被写体のうち主体となる被写体を検出し、この検出した主体となる被写体に対応するタイトルを当該動画像データに自動的に付加するタイトル自動付加プログラムと、カメラ部８の撮像制御を行うカメラ制御プログラムが記憶されている。このカメラ制御プログラムは、撮像した静止画像や動画像のビューア機能も備えている。
【００１８】
また、メモリ１８には、電子メールの作成や送受信を制御するための電子メール管理プログラムと、ユーザのスケジュールが登録されたスケジュール帳の管理を行うためのスケジュール帳管理プログラムと、コミュニケーションネットワークやインターネット等の所定のネットワーク上に設けられたサーバ装置上で公開されているＷｅｂページを閲覧するためのＷｅｂブラウジングプログラムと、電話帳の管理を行うための電話帳管理プログラムと、音楽データの再生を行うための音楽プレーヤプログラムとが記憶されている。
【００１９】
また、メモリ１８には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽データと、上記カメラ制御プログラムのビューア機能に基づいて再生される静止画像データ及び動画像データと、送受信された電子メールデータと、電話及び電子メールの発着信履歴と、動画像データの各シーンと、該各シーン毎に自動的に付加されたタイトル情報等が関連付けされて登録されたインデックステーブル等が記憶されている。
【００２０】
［動画像に対するタイトルの自動付加動作］
このような携帯電話機の制御部１９は、ユーザにより指定された動画像に写っている被写体のうち、主体となる被写体を検出し、この主体となる被写体に対応するタイトルを該動画像に付加することで、その動画像に対して最適なタイトルを自動的に付加することが可能となっている。
【００２１】
タイトルの自動付加を行う場合、制御部１９は、メモリ１８に記憶されているタイトル自動付加プログラムに基づいて、図２に示す重要度検出エンジン３０、物体識別エンジン３１、人名識別エンジン３２、合計時間検出エンジン３３、及びタイトル付加エンジン３４として機能することで、動画像に対して最適なタイトルを自動的に付加するようになっている。このようなタイトルの自動付加動作の流れを、図３のフローチャートに示す。
【００２２】
ユーザは、所望の動画像に対してタイトルを自動的に付加させる場合、操作部６を介して、メモリ１８に記憶されているタイトル自動付加プログラムを起動操作すると共に、該メモリ１８に記憶されている動画像データの中から所望の動画像データを指定する。
【００２３】
制御部１９は、上記タイトル自動付加プログラムの起動操作がなされると、メモリ１８に記憶されている自動付加プログラムを起動制御すると共に、この自動付加プログラムに基づいて、上記ユーザにより指定された動画像データに対して、図３のフローチャートに示す処理を施す。
【００２４】
ステップＳ１では、制御部１９が、タイトル自動付加プログラムに基づいて、図２に示した重要度検出エンジン３０として機能することで、ユーザにより指定された動画像の最初のフレーム（＝第１フレーム）に写っている各被写体の重要度を検出して、処理をステップＳ２に進める。
【００２５】
具体的には、ユーザにより指定された動画像の最初のフレーム（＝第１フレーム）が、例えば図４に示すフレーム画像であった場合、制御部１９は、重要度検出エンジン３０として機能することで、このフレーム画像に写っている各被写体を検出する。これにより、この図４に示す例の場合、人物の被写体と、太陽の被写体と、家の被写体がそれぞれ検出されることとなる。
【００２６】
次に、制御部１９は、各被写体が写っている画枠上の位置と大きさを検出する。そして、この各被写体が写っている画枠上の位置と大きさに基づいて、各被写体に対して重要度を付加する。例えば、一般的に、動画像を撮像するユーザは、自分が主として写そうと思っている被写体ほど、全体の中心に位置するように写すと共に、写す大きさも、なるべく大きく写そうとするものである。このようなことから、制御部１９は、中心に写っている被写体ほど、高い数値を付加し、また、大きく写っている被写体ほど、高い数値を付加する。この図４の例の場合、制御部１９は、中心近くに大きく写っている人物の被写体に対して、例えば「０．８５」の数値を付加し、中心近くに上記人物の被写体よりも小さく写っている家の被写体に対して、例えば「０．７２」の数値を付加し、画枠の右上に小さく写っている太陽の被写体に対して、例えば「０．４５」の数値を付加する。
【００２７】
そして、制御部１９は、０．８以上の数値の被写体に対して「高（Ｈｉｇｈ）」の重要度を付加し、０．４以上〜０．８未満の数値の被写体に対して「中（ｍｉｄｄｌｅ）」の重要度を付加し、０．４未満の数値の被写体に対して「低（Ｌｏｗ）」の重要度を付加する。これにより、図４の例の場合、上記「０．８５」の数値の人物の被写体に対しては「高（Ｈｉｇｈ）」の重要度が付加され、上記「０．７２」の数値の家の被写体に対しては「中（ｍｉｄｄｌｅ）」の重要度が付加され、上記「０．４５」の数値の太陽の被写体に対しては「低（Ｌｏｗ）」の重要度が付加されることとなる。
【００２８】
このように上記フレーム画像の各被写体に対して重要度を付加すると、制御部１９は、ステップＳ２に処理を進め、図２に示した物体識別エンジン３１、及び人名識別エンジン３２として機能することで、上記重要度を付加した各被写体の名称、或いは人名を検出する。
【００２９】
具体的には、メモリ１８には、例えば人間、太陽、馬、ビル・・・等の各被写体のサンプル画像データが記憶されており、制御部１９は、物体識別エンジン３１として機能した際に、各被写体の画像と、このサンプル画像とを比較し、該各被写体の名称を検出する。また、メモリ１８に記憶されている電話帳には、各ユーザの顔写真が登録されている。このため、制御部１９は、人名識別エンジン３２として機能した際に、各被写体の画像と、上記電話帳に登録されている各ユーザの顔写真とを比較することで、一致するユーザの顔写真が電話帳に登録されている場合には、その電話帳に登録されている顔写真に対応するユーザ名を、その被写体の人名として検出する。
【００３０】
次に、制御部１９は、処理をステップＳ３に進め、ステップＳ１で各被写体に付加した重要度、及びステップＳ２で検出した各被写体の名称或いは人名を、当該フレーム画像の再生時間に関連付けしてメモリ１８に一旦記憶制御する。
【００３１】
次に、制御部１９は、処理をステップＳ４に進め、ユーザにより指定された動画像の全フレームの再生が終了したか否かを判別し（＝ユーザにより指定された動画像の全フレームに対する上記重要度の付加、及び名称或いは人名の検出が終了したか否かを判別し）、ユーザにより指定された動画像の全フレームに対する上記重要度の付加、及び名称或いは人名の検出が終了していないものと判別した場合には処理をステップＳ１に戻し、全フレームに対する上記重要度の付加、及び名称或いは人名の検出が終了するまでの間、このステップＳ１〜ステップＳ４の処理を繰り返し実行する。
【００３２】
これに対して、全フレームに対する上記重要度の付加、及び名称或いは人名の検出が終了したものと判別した場合には処理をステップＳ５に進め、制御部１９は、図２に示した合計時間検出エンジン３３として機能することで、上記関連付けされてメモリ１８に記憶された各フレーム画像の再生時間と、各フレーム画像に写っている各被写体の合計出演時間（＝各被写体が写っている時間を合計した時間）を算出して、処理をステップＳ６に進める。
【００３３】
ステップＳ６では、制御部１９が、図２に示したタイトル付加エンジン３４として機能することで、各フレーム画像の再生時間に、そのフレーム画像に写っている各被写体の重要度に対応する重み付け係数を乗算処理することで、各フレーム画像の各被写体毎の出演時間を算出すると共に、該各被写体毎に全フレーム分の上記出演時間を積算処理することで、各被写体毎の合計出演時間を算出する。そして、この合計出演時間が一番長い被写体を検出し、この合計出演時間が一番長い被写体に対して付された上記名称或いは人名を、ユーザにより指定された動画像のタイトルとし、このタイトル情報を、メモリ１８に記憶されているユーザにより指定された動画像データに関連付けてメモリ１８に記憶制御して、この図３のフローチャートに示す処理を終了する。
【００３４】
このように、動画像に写っている各被写体のうち、最長の出演時間となる被写体は、その動画像の主体となる被写体であることを示している。このため、この最長の出演時間となる被写体の名称或いは人名を、その動画像のタイトルとして付加することで、該動画像に対して最適なタイトルを自動的に付加することができる。
【００３５】
［インデックステーブルの形成動作］
次に、この実施例の携帯電話機は、上述のように各フレーム画像毎、かつ、各フレーム画像に写っている各被写体毎に検出された重要度、及び各被写体の名称或いは人名に基づいて、各被写体が写っている時間（出演時間）と、その重要度の一覧であるインデックステーブルを形成可能となっている。
【００３６】
制御部１９は、ユーザにより、操作部６を介してインデックステーブルの形成が指定された際、或いは上記動画像に対するタイトルの付加が完了すると、このインデックステーブルの形成を行う。
【００３７】
具体的には、制御部１９は、上述のように各フレーム画像毎、かつ、各フレーム画像に写っている各被写体毎に重要度、及び各被写体の名称或いは人名を検出すると、各被写体毎に時系列に沿った重要度の遷移を検出する。そして、以下に示す条件に基づいて、この重要度の遷移に対応する重要度を、各被写体の出演時間に対して付加したインデックステーブルを形成する。
【００３８】
１．「高（Ｈｉｇｈ）」の重要度が１０秒以上続く場合は、その出演時間に対して「高（Ｈｉｇｈ）」の重要度を付加する。
【００３９】
２．「中（ｍｉｄｄｌｅ）」又は「高（Ｈｉｇｈ）」が１０秒以上続き、かつ、「高（Ｈｉｇｈ）」の重要度が付加されていない時間が１０秒以上であれば、その出演時間に対して「中（ｍｉｄｄｌｅ）」の重要度を付加する。
【００４０】
３．「高（Ｈｉｇｈ）」、「中（ｍｉｄｄｌｅ）」、「低（Ｌｏｗ）」が１０秒以上続き、かつ、「高（Ｈｉｇｈ）」或いは「中（ｍｉｄｄｌｅ）」の重要度が付加されていない時間が１０秒以上であれば、その出演時間に対して「低（Ｌｏｗ）」の重要度を付加する。
【００４１】
４．上記１〜３以外の条件の出演時間に対しては、重要度の付加は行わない。
【００４２】
５．重要度が変化した後、１秒以内に元の重要度に戻った場合、その重要度の変化は生じなかったものとみなす。
【００４３】
例えば、ある被写体の重要度を時系列に沿って並べた際に、図５に示す重要度の遷移が検出されたとする。この図５のグラフの下に示す左右両方向の矢印の長さが１０秒間を示している。この図５に示す例の場合、１０秒以上「高（Ｈｉｇｈ）」となる出演時間が存在するため、制御部１９は、上記「１の条件」に基づいて、この出演時間に対して「高（Ｈｉｇｈ）」の重要度を付加する。
【００４４】
また、この図５に示す例の場合、「中（ｍｉｄｄｌｅ）」の重要度が数秒続き、その後、１秒以内に「中（ｍｉｄｄｌｅ）」から「高（Ｈｉｇｈ）」に重要度が遷移することで、合計で、「中（ｍｉｄｄｌｅ）」が１０秒以上続き、かつ、「高（Ｈｉｇｈ）」の重要度が付加されていない１０秒以上の出演時間が存在するため、制御部１９は、上記「２の条件」及び上記「５の条件」に基づいて、この出演時間に対して「中（ｍｉｄｄｌｅ）」の重要度を付加する。
【００４５】
また、この図５に示す例の場合、「低（Ｌｏｗ）」の重要度が１０秒以上続き、かつ、「高（Ｈｉｇｈ）」或いは「中（ｍｉｄｄｌｅ）」の重要度が付加されていない１０秒以上の出演時間が存在するため、制御部１９は、上記「３の条件」に基づいて、この出演時間に対して「低（Ｌｏｗ）」の重要度を付加する。
【００４６】
また、この図５に示す例の場合、「中（ｍｉｄｄｌｅ）」及び「高（Ｈｉｇｈ）」の各重要度がそれぞれ１０秒以上続き、かつ、「高（Ｈｉｇｈ）」の重要度が付加されていない１０秒以上の出演時間が存在するため、制御部１９は、上記「２の条件」に基づいて、その出演時間に対して「中（ｍｉｄｄｌｅ）」の重要度を付加する。
【００４７】
同様に、図６に示す例の場合、「中（ｍｉｄｄｌｅ）」及び「高（Ｈｉｇｈ）」の各重要度がそれぞれ１０秒以上続き、かつ、「高（Ｈｉｇｈ）」の重要度が付加されていない１０秒以上の出演時間が存在するため、制御部１９は、上記「２の条件」に基づいて、その出演時間に対して「中（ｍｉｄｄｌｅ）」の重要度を付加する。
【００４８】
同様に、図７に示す例の場合、「低（Ｌｏｗ）」が１０秒以上続き、かつ、「高（Ｈｉｇｈ）」或いは「中（ｍｉｄｄｌｅ）」の重要度が付加されていない１０秒以上の出演時間が存在するため、制御部１９は、この出演時間に対して「低（Ｌｏｗ）」の重要度を付加する。
【００４９】
制御部１９は、このように各被写体毎に各出演時間毎の重要度を付加すると、図８に示すように被写体名（＝上記ステップＳ２で検出した人名或いは名称）、出演時間、及びこの出演時間に付した重要度を示す情報をメモリ１８のインデックステーブルに登録する。また、制御部１９は、この出演時間に関連付けて、当該出演時間に対応する動画像（或いはサムネイル画像等の１枚或いは複数枚の静止画像でもよい。）を、上記インデックステーブルに登録する。これにより、図８に示すように出演時間、重要度、及び対応する動画像が付加された各被写体毎のインデックステーブルが形成されることとなる。
【００５０】
ユーザにより、操作部６を介して、このインデックステーブルの表示操作がなされると、制御部１９は、メモリ１８から該インデックステーブルを読み出し、これを表示部５に表示制御する。これにより、表示部５には、図８に示すようにＡさん、Ｂさん、サッカーボール等の被写体名と、１：２０〜２：１０、２：１１〜２：３４，２：３５〜５：１２等の出演時間、及びｈｉｇｈ、ｍｉｄｄｌｅ等の重要度に加え、動画像の表示領域に、この１：２０〜２：１０、２：１１〜２：３４，２：３５〜５：１２等の間の動画像が小さい画面でそれぞれ再生され表示される。
【００５１】
ユーザは、この表示されたインデックステーブルを見ることにより、一連の動画像内における各被写体の出演時間とその重要度、及び写っている動画像を認識することができる。このため、当該動画像を見る際に、所望の被写体が写っている場面（＝上記出演時間の間の動画像）を容易に検索することができる。
【００５２】
なお、この図８は、出演時間順にならべて、各被写体名等を表示した例であるが、ユーザは、重要度順や、被写体順、或いは重要度の高いもののみを指定して表示させることができる。例えば、ユーザにより、「被写体順」の表示が指定された場合、制御部１９は、図９に示すように被写体がＡさんの出演時間、被写体がサッカーボールの出演時間、被写体が携帯電話機の出演時間、被写体がＢさんの出演時間・・・を順に並べたインデックステーブルを表示部５に表示制御する。これにより、ユーザは、この表示されたインデックステーブルを見ることにより、所望の被写体と、その出演時間及び重要度等を、より簡単に検索することができる。
【００５３】
［実施例の効果］
以上の説明から明らかなように、この実施例の携帯電話機は、動画像に写っている各被写体毎に重要度と、その被写体の名称或いは人名を検出し、各被写体の重要度に応じて重み付けを行った、該各被写体の合計の出演時間を算出する。そして、最長の出演時間となる被写体の上記名称或いは人名を、その動画像全体のタイトルとして付加する。
【００５４】
動画像に写っている各被写体のうち、最長の出演時間となる被写体は、その動画像の主体となる被写体であることを示している。このため、この最長の出演時間となる被写体の名称或いは人名を、その動画像のタイトルとして付加することで、該動画像に対して最適なタイトルを自動的に付加することができる。
【００５５】
また、この実施例の携帯電話機は、各被写体毎に時系列に沿った重要度の遷移を検出し、各被写体の出演時間に対して、この重要度の遷移に対応する重要度を付加すると共に、被写体名、及び各出演時間に対応する動画像を付加したインデックステーブルを形成して表示する。
【００５６】
これにより、一連の動画像内における各被写体の出演時間とその重要度、及び写っている動画像を認識可能とすることができ、当該動画像を見る際に、所望の被写体が写っている場面（＝上記出演時間の間の動画像）を容易に検索可能とすることができる。
【００５７】
［変形例］
なお、ヘッドマウントディスプレイ装置に設けられたカメラ部で撮像された動画像に対して、リアルタイムに本発明を適用してもよい。この場合、ある時間内でのユーザの視界の中で一番重要だった被写体を自動的に判別することができ、ユーザが一日の中で一番見ていたであろう被写体を容易に推定可能とすることができる。
【００５８】
また、上述の実施例の説明では、本発明を動画像再生機能を備えた携帯電話機に適用することとしたが、本発明は、動画像再生機能を備えたＰＨＳ電話機（PHS：Personal Handyphone System）、ＰＤＡ装置（PDA：Personal Digital Assistant）、携帯ゲーム機、ノート型やデスクトップ型のパーソナルコンピュータ装置等の他の電子機器に適用してもよい。いずれの場合も、上述と同様の効果を得ることができる。
【００５９】
最後に、上述の実施例は、本発明の一例である。このため、本発明は上述の実施例に限定されることはなく、本発明に係る技術的思想を逸脱しない範囲であれば、設計等に応じて種々の変更が可能であることは勿論であることを付け加えておく。
【符号の説明】
【００６０】
１  アンテナ、２  通信回路、３  スピーカ部、４  マイクロホン部、５  表示部、  ６  操作部、７  発光部（ＬＥＤ）、８  カメラ部、９  バイブレーションユニット、１０  タイマ、１１  モーションセンサ、１２  非接触無線通信アンテナ、１３  非接触ＩＣユニット、１４  近距離無線通信アンテナ、１５  近距離無線通信ユニット、１６  赤外線通信ユニット、１７  外部インターフェイス部、１８  メモリ、１９  制御部、３０  重要度検出エンジン、３１  物体識別エンジン、３２  人名識別エンジン、３３  合計時間検出エンジン、３４  タイトル付加エンジン
【図１】
2011039797.tif 000003
【図２】
2011039797.tif 000004
【図３】
2011039797.tif 000005
【図４】
2011039797.tif 000006
【図５】
2011039797.tif 000007
【図６】
2011039797.tif 000008
【図７】
2011039797.tif 000009
【図８】
2011039797.tif 000010
【図９】
2011039797.tif 000011